(57)【要約】      （修正有）【課題】シールド不足による不要な放射を抑制する分波器を提供する。【解決手段】分波器１は、入力端子１１１から受信した信号を分波する電子基板と、分波した信号を出力端子に導く結線部と、電子基板および結線部を収容する、亜鉛合金または鉄合金を用いたダイキャスト製本体部と、本体部を収容するアルミニウム製のカバー１２と、を有している。二重のシールドにより電磁波の外部への放射量を抑制できる。【選択図】図１
0003222998.tif 000002
【実用新案登録請求の範囲】
【請求項１】
入力端子から受信した信号を分波する電子基板と、
分波した信号を出力端子に導く結線部と、
前記電子基板および結線部を収容する、亜鉛合金または鉄合金を用いたダイキャスト製本体部と、
前記本体部を収容するアルミニウム製カバーと、
を有することを特徴とする分波器。
【請求項２】
前記アルミニウム製カバーは、表面の平坦な部位に印刷が可能な筒状をなしている請求項１に記載の分波器。
【請求項３】
入力端子から受信した信号を分配する電子基板と、
分配した信号を出力端子に導く結線部と、
前記電子基板および結線部を収容する、亜鉛合金または鉄合金を用いたダイキャスト製本体部と、
前記本体部を収容するアルミニウム製カバーと、
を有することを特徴とする分配器。
【請求項４】
前記アルミニウム製カバーは、表面の平坦な部位に印刷が可能な筒状をなしている請求項３に記載の分配器。
【請求項５】
コネクタ端子と、
前記コネクタ端子の一部を収容する、亜鉛合金または鉄合金を用いたダイキャスト製本体部と、
前記本体部を収容するアルミニウム製カバーと、
を有することを特徴とするコネクタ。
【請求項６】
前記アルミニウム製カバーは、表面の平坦な部位に印刷が可能な筒状をなしている請求項５に記載のコネクタ。
【考案の詳細な説明】
【技術分野】
【０００１】
本考案は分波器、分配器およびコネクタに関する。
【背景技術】
【０００２】
分波器において、内部がシールド効果を有する仕切り壁によって分割され、各素子の外側を被覆するケースが知られている。
【先行技術文献】
【特許文献】
【０００３】
【特許文献１】特公平６−０５６４４５号公報
【考案の概要】
【考案が解決しようとする課題】
【０００４】
シールドが不足し、ノイズが放射されると、他の機器に影響を及ぼす可能性がある。
１つの側面では、本考案は、シールド不足による不要な放射を抑制することを目的とする。
【課題を解決するための手段】
【０００５】
上記目的を達成するために、開示の分波器が提供される。この分波器は、入力端子から受信した信号を分波する電子基板と、分波した信号を出力端子に導く結線部と、電子基板および結線部を収容する、亜鉛合金または鉄合金を用いたダイキャスト製本体部と、本体部を収容するアルミニウム製カバーと、を有している。
【考案の効果】
【０００６】
１態様では、シールド不足による不要な放射を抑制することができる。
【図面の簡単な説明】
【０００７】
【図１】実施の形態の分波器を示す平面図である。
【図２】実施の形態の分波器を模式的に示した分解図である。
【図３】分波器の断面図である。
【図４】分波器の第１の変形例を説明する図である。
【図５】分波器の第２の変形例を説明する図である。
【図６】応用例を説明する図である。
【考案を実施するための形態】
【０００８】
以下、実施の形態の分波器、分配器およびコネクタを、図面を参照して詳細に説明する。
＜実施の形態＞
図１は、実施の形態の分波器を示す平面図である。図２は、実施の形態の分波器を模式的に示した分解図である。
第１の実施の形態の分波器１は、例えばＢＳ、ＣＳ等の衛星放送用電波と、地上デジタル放送用電波を分ける。
【０００９】
分波器１は、亜鉛合金または鉄合金を用いたダイキャスト製の本体部（薄肉の筐体）１１と、本体部１１を収容するアルミニウム製のカバー１２とを有している。カバー１２は、図１に示すように表面の平坦な部位にロゴ等の印刷が可能な筒状をなしている。カバー１２は、本体部１１を支持する複数の支持部１２１を有している。
本体部１１は、１つの入力端子１１１と２つの出力端子１１２、１１２とを有している。なお、出力端子の数は２つに限定されず３つ以上であってもよい。
本体部１１の入力端子１１１および出力端子１１２、１１２が設けられた面には本体部１１とカバー１２とを固定する樹脂１３が配置されている。
【００１０】
本体部１１内には、入力端子１１１から受信した信号を分波する図示しない電子基板、および分波した信号を出力端子１１２、１１２に導く結線部が配置されている。なお、本体部１１の内部構造は従来公知のものを用いることができるため詳細な説明を省略する。
図３は、分波器の断面図である。
【００１１】
前述したように、支持部１２１により本体部１１が支持されている。図３には、発生する電磁波（ノイズ）のイメージを矢印で示している。電磁波が多い箇所は矢印の密度が高く、電磁波が少ない箇所は矢印の密度を小さく図示している。
【００１２】
本体部１１が亜鉛合金または鉄合金を用いたダイキャスト製であるため、本体部１１外部への電磁波の放射量を抑制する。更に、アルミニウム製のカバー１２で本体部１１を覆うことで電磁波の外部への放射量を抑制する。
【００１３】
また、アルミニウム製のカバー１２で本体部１１を覆うことで、本体部１１内に配置された電子基板や結線部を、外部からの衝撃や圧力から保護することができる。
また、カバー１２はアルミニウム製であるため、ロゴ等の印刷も容易である。
【００１４】
なお、本実施の形態では分波器を例に説明をした。しかし、これに限らず１つの信号を複数の信号に分ける分配器においても分波器１と同様の構造を適用することができる。
【００１５】
なお、図２において、本体部１１の紙面奥側が有底であってもよい。この場合、本体部１１を紙面手前側から紙面奥側に移動させると、本体部１１は底部に係合する。このとき入力端子１１１がカバー１２の外部に露出するようになっていてもよい。
【００１６】
＜製造方法＞
次に、分波器１の製造方法の一例を簡単に説明する。
（工程１）  まず、亜鉛ダイキャスト製のシールドケースにＰＣＢ（Printed Circuit Borad）を組込んだ後、ＰＣＢをシールドケースの端子と半田付けをすることで本体部１１を製造する。
（工程２）  工程１にて製造された本体部１１を覆うようにカバー１２を装着する。
（工程３）  工程２にてカバー１２が装着された本体部１１を樹脂金型にセットする。そして、樹脂を注入することで樹脂１３が配置される。
【００１７】
＜第１の変形例＞
図４は、分波器の第１の変形例を説明する図である。
図４に示す分波器１ａは、出力端子１２２、１２２にそれぞれケーブル１４、１４が接続されている。
【００１８】
＜第２の変形例＞
図５は、分波器の第２の変形例を説明する図である。
図５に示す分波器１ｂは、入力端子１２１および出力端子１２２、１２２にそれぞれケーブル１４、１４、１４が接続されている。
【００１９】
＜応用例＞
図６は、応用例を説明する図である。
図１〜図５は、分波器について説明したが、亜鉛合金または鉄合金を用いたダイキャスト製の本体部と、本体部を収容するアルミニウム製のカバーとを有する構造は、他の機器にも適用することができる。図６は、当該構造をＨＤＭＩ（登録商標）ケーブルに適用した例を説明する図である。
ＨＤＭＩケーブル２が備える各コネクタ２０、２０は、それぞれコネクタ端子２１と、
コネクタ端子２１の一部を収容する、亜鉛合金または鉄合金を用いたダイキャスト製本体部と、本体部を収容するアルミニウム製のカバー２２とを有している。
カバー２２は、本体部を収容し、表面の平坦な部位にロゴ等の印刷が可能な筒状をなしている。
【００２０】
また、コネクタ端子２１とカバー２２との隙間部分およびカバー２２とケーブル２３との隙間部分は樹脂２４により覆われている。
なお、図６ではＨＤＭＩケーブルを例に説明した。しかし、応用できるケーブルの種類はＤＶＩケーブルやディスプレイポートケーブル等、前述したものに限定されない。
【００２１】
＜製造方法＞
次に、ＨＤＭＩケーブル２の製造方法の一例を簡単に説明する。
（工程１）  ケーブル２３が配線済みのコネクタ端子２１をスチール製のシールドケースに組込み固定することで本体部を製造する。
（工程２）  スチール製のシールドケースにカバー２２を装着する。
（工程３）  樹脂金型にセットし樹脂を注入することで樹脂２４が配置される。
【００２２】
以上、本考案の分波器、分配器およびコネクタを、図示の実施の形態に基づいて説明したが、本考案はこれに限定されるものではなく、各部の構成は、同様の機能を有する任意の構成のものに置換することができる。また、本考案に、他の任意の構成物や工程が付加されていてもよい。
また、本考案は、前述した各実施の形態のうちの、任意の２以上の構成（特徴）を組み合わせたものであってもよい。
【符号の説明】
【００２３】
１、１ａ、１ｂ  分波器
２  ＨＤＭＩケーブル
１１  本体部
１１１、１２１  入力端子
１１２、１２２  出力端子
１２  カバー
１２１  支持部
１３  樹脂
２０  コネクタ
２１  コネクタ端子
２２  カバー
２３  ケーブル
２４  樹脂
【図１】
0003222998.tif 000003
【図２】
0003222998.tif 000004
【図３】
0003222998.tif 000005
【図４】
0003222998.tif 000006
【図５】
0003222998.tif 000007
【図６】
0003222998.tif 000008
【手続補正書】
【提出日】令和1年7月5日(2019.7.5)
【手続補正１】
【補正対象書類名】実用新案登録請求の範囲
【補正対象項目名】全文
【補正方法】変更
【補正の内容】
【実用新案登録請求の範囲】
【請求項１】
入力端子から受信した信号を分波する電子基板と、
分波した信号を出力端子に導く結線部と、
前記電子基板および結線部を収容する、亜鉛合金または鉄合金を用いたダイキャスト製本体部と、
前記本体部を収容するアルミニウム製カバーと、
を有することを特徴とする分波器。
【請求項２】
前記アルミニウム製カバーは、表面の平坦な部位に印刷が可能な筒状をなしている請求項１に記載の分波器。